(57)【要約】本特許出願は、医学分野、より具体的には骨または関節の治療のための外科用器具及びそれらに特別に適合された装置の分野に関し、脊椎インプラントの可撓性ブレードを固定するためのガイド装置を理想化する。最先端技術は、椎弓根フック及びねじから成るインプラント装置の患者の椎骨への固定を認めており、その欠点は、不安定で不十分に設計されたガイド装置に加えて、椎骨に適用されるときに椎弓根ねじの角度に選択肢がないことである。これらの問題を解決するために、本特許出願の目的が開発され、それは、ボックス形状の側面を有して可撓性ブレードのセット（３）が交差してスライドするプラットフォーム（１３）および（１４）を構成する可撓性ブレード（１）を固定するためのガイド装置を具え、反対側には、椎弓根ねじ（７）を支持する二重中間コネクタ（５）に固定するための穴（１６）がある。上記可撓性ブレードのセット（３）は、長手方向の開口部（９）が設けられた、重ね合わされた２つのブレード（４）によって形成され、それらを介して、それらが互いにスライドすることを可能にする固定装置（１１）によって接合される。【選択図】図１
2021505216.tif 000002
【特許請求の範囲】
【請求項１】
本特許の目的である「動的インプラント用のスライドブレードの取り付けと固定のためのガイド装置」であって、脊椎の姿勢矯正および／または治療のために可撓性ブレードを固定するためのガイド装置（１）から成り、
姿勢矯正および／または脊椎治療用のフレキシブルブレード（１）をトランスフィックスするためのガイド装置からなり、ブーメランの形状の単一部品を具え２つの貫通穴（１９）と（２０）を具えた二重中間コネクタ（５）を受容するプラットフォーム（１３）及び（１４）を具えており、
前記穴（１９）は、高い方の壁（２１）が側面にあり、そこには、多軸ねじロッド（６）が結合されており、これは、円筒ロッド（２３）から成り、その下端には、ねじ領域（２５）が前にある球体（２４）があり、他方の穴（２０）が、片側に椎弓根ねじ（７）を、もう一方に固定ねじ（２６）受容し、固定ねじ（２６）は、固定ねじ（２６）をオリフィス（２０）設けられた内部フランジ（８）に固定するため、前記椎弓根ねじ（７）の頭部の同心穴（２７）にねじ込まれ、前記内部フランジ（８）は、前記椎弓根ねじ（７）の角度を調整する役割を果たすことで、複数の二重中間コネクタ（５）が提供され、その内部フランジ角度（８）は、二重中間コネクタ（５）がブレードのセット（３）内で占めるさまざまな位置によって異なることを特徴とする装置。
【請求項２】
請求項１に記載の「動的インプラント用のスライドブレードの取り付けと固定のためのガイド装置」において、
前記椎弓根ねじ（７）が骨表面の外側にあり、前記二重中間コネクタ（５）を固定する小さな固定ねじ（２６）を受容する（２７）を有しており、前記二重中間コネクタ（５）が、前記椎弓根ねじ（７）の頭部に適合することを特徴とする装置。
【請求項３】
請求項１に記載の「動的インプラント用のスライドブレードの取り付けと固定のためのガイド装置」において、前記端部プラットフォーム（１３）およびスライド（１４）が、可撓性ブレード（１）を固定するためのガイド装置を統合し、セグメントの椎骨構造を無傷に保つことを特徴とする装置。
【請求項４】
請求項１に記載の「動的インプラント用のスライドブレードの取り付けと固定のためのガイド装置」において、
二重中間コネクタ（５）はブーメランの形状をしており、２つの側があり、その片側に椎弓根ねじ（７）の適合があり、他方の側にブレードプラットフォーム（４）に取り付けられる多軸ねじロッド（６）を有することを特徴とする装置。
【請求項５】
請求項１に記載の「動的インプラント用のスライドブレードの取り付けと固定のためのガイド装置」において、前記可撓性ブレード（４）が、それらの長さ方向にガイド（１）を有することを特徴とする装置。
【請求項６】
請求項１に記載の、「動的インプラント用のスライドブレードの取り付けと固定のためのガイド装置」において、
前記ブレードの前記プラットフォーム（１３）及び（１４）には前記可撓性ブレードと前記スライドブレードのセット（３）がスライドするレール（１８）があるのに対し、これらのプラットフォーム（１３）及び（１４）に、２つの側があり、片側が前記可撓性ブレードのセット（３）が通過してスライドする箱の形状であり、他方の側に前記二重中間コネクタ（５）に取り付けるための穴（１６）を有することを特徴とする装置。
【請求項７】
請求項１に記載の「動的インプラント用のスライドブレードの取り付けと固定のためのガイド装置」において、
これらのインプラントが、それらの間及び前記プラットフォーム（１４）内でスライドする２又はそれ以上の可撓性ブレード（４）のセットであることを特徴とする装置。
【発明の詳細な説明】
【技術分野】
【０００１】
脊椎変形および不安定性を選択的に安定化および矯正するための、可撓性のスライド式および動的ブレードを固定するためのガイド装置である本発明の特許は、医学分野、より具体的には骨又は関節の治療のための外科用物品、及びそれらに特に適合したデバイスの分野に関する。
【０００２】
本出願は、骨折、脊椎奇形、変性疾患、脊髄腫瘍、その他の典型的な問題のケースにおいて脊椎のリハビリテーションを支援する一方で、患者がリハビリ中により快適にまたは明確な能力で支援された脊椎の可動性を維持できるようにすることを目的として開発された。
【０００３】
したがって、これは、可撓性ブレード上の固定点を変位させることに加えて、様々な角度で、椎骨上に前記ブレードを固定する椎弓根ねじの配置を可能にする可撓性ブレードおよび構成要素を固定するためのガイド装置である。このようにして、埋め込み後であっても、脊椎の固定点を変更する必要なく、ブレードの固定点を移動させることができる。
【背景技術】
【０００４】
最先端の技術
他の典型的な問題の中でも、骨折、椎骨変形、変性疾患、脊髄腫瘍の場合に脊椎のリハビリテーションを支援する、最新技術で既知のインプラントは、基本的に、変形の矯正後、脊椎が剛体ロッドの事前のモデリングと配置に従って整列したままになるような方法で、椎弓根ねじによってしっかりと各椎骨または椎骨のセットに固定されたロッドを含んでいる。
【発明の概要】
【発明が解決しようとする課題】
【０００５】
最先端技術の懸念事項
従来のインプラントの欠点は、手術された脊椎のセグメントがその可動性と自然な可撓性を失う可能性があり、これにより患者の胴体の動きが制限され、この可動性の低下の結果として、中長期的に、椎間板と椎間関節の変性を受ける固定部に隣接する椎骨セグメントが、早期の変形性関節症、脊椎痛、および大きな不快感を引き起こすことである。
【０００６】
従来の脊椎インプラント処置の別の重要な欠点は、未熟な（発達中の）患者の脊椎における成長および脊椎発達の喪失に関する。
【０００７】
システムによってブロックされない平面内の脊椎の動きを可能にし、未成熟脊椎（成長中）の成長を可能にすることに加えて、この可撓性インプラントの新しいシステムは、脊椎内靭帯、棘上靭帯、黄色靭帯、棘突起、関節などの脊椎の解剖学的構造を破壊または除去することなく脊椎に適用でき、すなわち、これらのインプラントは埋め込まれて無傷の手術部位の椎骨構造を維持する。
【課題を解決するための手段】
【０００８】
発明の概要
これらの問題を解決するために、この分野の経験を有する者である本発明者は、脊椎の変形と不安定性を選択的に安定化および矯正するための物である「動的インプラント用のスライドブレードの取り付けと固定のためのガイド装置」を作製および開発した。
【０００９】
この革新性は、可撓性ブレード用の固定ヘッドのセットを含むプロジェクトによって理解される。
【００１０】
上記の可撓性ブレードのセットは、必要に応じて後退または伸長するために、互いにスライドする２つの重なり合うブレードから成る。
【００１１】
上記のブレードのセットは、端部にそれらの伸長に沿って配置され、それぞれの椎骨の特定の点に埋め込まれる、ブレードを固定するためのガイド装置を備えた複数の椎弓根ねじによって、患者の脊椎に固定される。
【００１２】
革新的技術とは、ブレードアセンブリを脊椎に固定するシステムのことであり、スライドサポートに取り付けられたダブルベアリングで構成されるヘッドを備えており、これにより、可撓性ブレードの固定点を変位することに加えて、様々な角度で椎弓根ねじを配置し得る。このようにして、埋め込み後であっても、脊椎の固定点を変更する必要なしにブレード上の固定点を移動させることが可能である。
【００１３】
新たな可撓性インプラント技術を実行するために、本革新は、４つの部品またはタイプの埋め込み可能な構成要素を含むプロジェクトとして理解される。
【００１４】
第一部：椎弓根ねじ。
【００１５】
椎弓根ねじによる椎骨へのインプラントの固定（固着）は、頭部が骨表面からわずか３または４ミリメートル離れていることと、椎弓根ねじの頭部に嵌る二重中間コネクタを固定する小さいねじを受容する中央穴を有することを特徴とする。
【００１６】
第二部：二重中間コネクタ。
【００１７】
この二重中間コネクタは、ブーメラン形状であり、２つの側を有する。一方の側には椎弓根ねじ用のソケットがあり、他方の側にはブレードのプラットフォームに取り付けられる多軸ねじロッドを有する。
【００１８】
第三部：ブレードのプラットフォーム。
【００１９】
ブレードのプラットフォームは、一組の可撓性のスライド式ブレードが通過するレールを有する。これらのプラットフォームには２つの側がある。可撓性ブレードのセットが通過してスライドする一方のボックス型の側と、二重中間コネクタとの固定用の穴があるもう一方の側である。
【００２０】
各椎骨について、各椎弓根に固定されたブレードの２つのプラットフォーム、すなわち、同じ椎骨の右椎弓根に接続された一方のプラットフォームと左椎弓根に接続された別のプラットフォームが提供される。
【００２１】
したがって、右側で操作されるセグメントは、プラットフォームに一組の可撓性スライドブレードを与え、左側では、別のセットのブレードが左側の椎弓根に接続されたプラットフォームを通過する。
【００２２】
組み立てられたシステムの両側に、操作される脊椎のセグメントに応じて、各端の端部プラットフォームと複数のスライドプラットフォームがある。
【００２３】
第四部：スライディングブレード。
【００２４】
これらのインプラントは、２つ以上の柔軟なブレードのセットであり、それらの間でプラットフォーム内をスライドする。
【００２５】
このようなブレードのセットは、操作される脊椎の両側、すなわち、棘突起に隣接して左右に取り付けられ、このような方法では、背骨の両側で、２つのスライドブレードの少なくとも１つのセットが、プラットフォームに接続され、プラットフォームは椎弓根ねじに接続される。
【００２６】
本システムを備える脊椎のセグメントの各側について、以下のようになる。
【００２７】
スライドは、近位の末端椎骨に取り付けられる近位の端部プラットフォームに、一端でのみ取り付けられている。
【００２８】
もう一方のブレードも、遠位端の椎骨に取り付けられる遠位の端部プラットフォームに、一端でのみ取り付けられる。
【００２９】
各システムにおいて、各ブレードは、それらが一緒にスライドできるように、一端でのみ固定される。したがって、ブレードの内縁は、それらの間で自由にスライドし、スライドするプラットフォーム内で緩む。
【００３０】
重要なことは、スライドブレードのセットにより、操作される椎骨セグメントの短縮および伸長を可能にすることと、柔軟性のため、それらが操作される椎骨セグメントの屈曲、伸展および回転の角運動を可能にすることである。
【００３１】
システムの組み立てにより、スライド式プラットフォームの内側をスライドして動く可撓性のスライド式スライドのセットは、二重中間コネクタを介して椎弓根ねじに固定され、脊柱側弯症などの脊椎変形の矯正を可能にし、システムによって可能な自由平面での脊椎の動きを維持し、未熟な患者（子供や青年）に適用すると脊椎の成長を可能にする。
【００３２】
このシステムは、脊柱後弯症、脊椎骨折、腫瘍、および脊椎の変性疾患によって引き起こされる不安定性の治療のために、ブレード間のスライドを調整および部分的にブロックすることによって適用できる。
【００３３】
したがって、本特許は、可能な限り少ない部品でプロテーゼを得るように設計され、脊椎の変形と不安定性を選択的に安定化および矯正するための可撓性スライド式動的インプラントシステムを可能にするように便利に構成および配置されており、前述の欠点のない、比類のない効率と汎用性で機能を実行する。
【図面の簡単な説明】
【００３４】
本明細書で請求される「動的インプラント用のスライドブレードを固定および移動するためのガイド装置」を構成するもののより良い理解を提供するために、添付の例示的な図面が提示されており、ここで、
【図１】図１は、一方は左、他方は右の脊椎変形と不安定性を選択的に安定化及び矯正するための２つの可撓性スライド式動的インプラントの側面斜視図である。
【図２】図２は、脊椎の変形と不安定性を選択的に安定化及び矯正するための２つの可撓性スライド式及び動的インプラントの底面図である。
【図３】図３は、一方は左、他方は右の脊椎変形と不安定性を選択的に安定化及び矯正するための２つの可撓性スライド式及び動的インプラントの正面図である。
【図４】図４は、脊椎の変形と不安定性を選択的に安定化及び矯正するための、可撓性スライド式動的インプラントを構成する直線スライド式ロッドの分解斜視図である。
【図５】図５は、脊椎の変形と不安定性を選択的に安定化及び矯正するための、可撓性スライド式動的インプラントを構成する直線スライド式爪の斜視図である。
【図６】図６は、端部サポート、ボールジョイント、二重ベアリング、椎弓根ねじで形成されたセットの分解図である。
【図７】図７は、ボールジョイント付きの二重ベアリングの斜視図である。
【図８】図８は、ボールジョイント付きの二重ベアリングの分解斜視図である。
【図９】図９は、端部サポートの背面斜視図である。
【図１０】図１０は、端部サポートの正面斜視図である。
【図１１】図１１は、端部プラットフォームの正面図である。
【図１２】図１２は、端部プラットフォームの正面斜視図である。
【図１３】図１３は、ここで示すインプラントシステムを組み込んだ二重ベアリングのセットの斜視図を示しており、ここでは、上部から下部まで見ることができ、左の列では、椎弓根ねじが垂直に突出する二重腰部ベアリングであって、ねじが５度突き出る腰部ベアリングと、ねじが１５度突き出る腰部ベアリングを示す。右の列では、ネジが垂直に突出する胸部ベアリングであって、ネジが５度突き出る胸部ベアリングとねじが１５度突き出る二重胸部を示す。
【発明を実施するための形態】
【００３５】
発明の詳細な説明
「動的インプラント用のスライドブレードの取り付けと固定のためのガイド装置」を説明する上記の図に従って、可撓性ブレード（１）を固定するためのガイド装置から成るこの特許の目的は、健康な脊椎に相当するあらゆる程度の自然な可動性を具えた姿勢矯正および／または脊椎治療である。
【００３６】
前記可撓性ブレード（４）は、手術された脊椎の両側に取り付けられた２組のブレード（３）から成る関節式椎骨プロテーゼ（２）を統合する。
【００３７】
ブレードの前記セット（３）は、２つの重なり合う薄いブレード（４）を具え、これらは互いに長手方向にスライド可能であり、２つの端部プラットフォーム（１３）および複数のスライドプラットフォーム（１４）のレール上に配置される一方で、各端部が、ねじ（１７）によってそれぞれの端部プラットフォーム（１３）に固定されている。
【００３８】
前記端部プラットフォーム（１３）およびスライド（１４）は、多軸ねじロッド（６）および椎弓根ねじ（７）を有しブーメランのような形状の二重中間コネクタ（５）も具える、可撓性ブレード（１）を固定するためのガイド装置を統合する。
【００３９】
前記椎弓根ねじ（７）は、移植される椎骨延長部に対して、患者の各椎骨の骨領域に取り付けられ、多軸ねじロッド（６）が椎弓根ねじ（７）に対して反対側に突出する。前記椎弓根ねじ（７）は、骨表面の外側にあり、前記椎弓根ねじ（７）の頭部に嵌合する二重中間コネクタ（５）を固定する小さなねじ（２６）を受容する中央穴（２７）を有する。
【００４０】
より具体的には、ブレードのセット（３）は、細長い形状を有し、丸みを帯びた端部を有する、すなわち、鋭い端部を有さず、傾斜した縁部（１０）を備えその長さの約半分を占める楕円形の長手方向開口部（９）を有する、２つの同一の薄い剛性ブレード（４）から成る。
【００４１】
前記ブレード（４）は、ブレード（４）に設けられた各長手方向開口部（９）に嵌め込まれ、ねじ（１２）を用いて他のブレード（４）の端部に取り付けられた２つのファスナ（１１）によって重ね合わされ、接合される。
【００４２】
前記ファスナ（１１）は、長手方向開口部（９）の傾斜した縁部（１０）に嵌合し、ブレード（４）が互いに長手方向にスライドすることを可能にする、丸みのある小さな側面を有する平らな矩形部材である。前記ファスナ（１１）の中央線において長手方向に整列した切頭円錐形の外形を有する２つの貫通穴もある。
【００４３】
２つの端部プラットフォーム（１３）がブレードのセット（３）に取り付けられ、各端に１つ、そしてその長さに沿って複数のスライドプラットフォーム（１４）がある。
【００４４】
前記端部プラットフォーム（１３）は、中空の四角形部材によって構成され、その下面と上面全体が開いており、その上面のねじ付き円形穴（１５）と左側から突出する穴（１６）とが設けられている。
【００４５】
直線的構造の各端部で、端部プラットフォーム（１３）が、円形穴（２９）を通してねじ穴（１５）に挿入されてねじ込まれるねじ（１７）によって取り付けられ、ねじ（１７）はブレード（４）のその領域に設けられ、端部プラットフォーム（１３）の底面に接触する。
【００４６】
スライドプラットフォーム（１４）は、端部プラットフォーム（１３）と同じ構造であるが、ねじ付きの円形穴がない。すなわち、スライドプラットフォーム（１４）は、中空の四角形部材から成り、その下面と上面の全体が開いており、可撓性ブレードのセット（３）が通過してスライドするレール（１８）を具える箱の形であり、反対側には、二重中間コネクタへの取り付けのための穴（１６）がある。
【００４７】
前記スライドプラットホーム（１４）は、ブレードのセット（３）に結合され、椎弓根ねじが取り付けられるそれぞれの椎骨と一致する位置にその長さに沿って配置される。
【００４８】
各プラットフォーム（１３）および（１４）は、２つの貫通穴（１９）および（２０）を備えたブーメランの形状のモノブロック部品から成る二重中間コネクタ（５）を受容し、穴（１９）は、高い方の壁（２１）が側面にあり、そこには、多軸ねじロッド（６）が結合されており、これは、円筒形ロッド（２３）から成り、その下端には、ねじ領域（２５）が前にある球体（２４）がある。もう一方の穴（２０）は、片側に椎弓根ねじ（７）を、もう一方に固定ねじ（２６）を受容し、固定ねじ（２６）は、固定ねじ（２６）を穴（２０）にある内部フランジ（８）に取り付けるため、椎弓根ねじ（７）の頭部の同心穴（２７）にねじ込まれる。上記の内部フランジ（８）は、椎弓根ねじ（７）の角度を調整する役割を果たすことで、複数の二重中間コネクタ（５）が提供され、その内部フランジ角度（８）は、二重中間コネクタ（５）がブレードのセット（３）内で占めるさまざまな位置によって異なる。
【００４９】
ねじ付き多軸ロッド（６）の円筒形ロッド（２３）は、二重中間コネクタ（５）の穴（１９）およびプラットフォーム（１３）または（１４）の穴（１６）に通され、ねじ領域（２５）にねじ込まれたナット（２８）によって固定される。
【００５０】
二重中間コネクタ（５）の内部フランジ（８）は異なる角度を有し、その結果、それぞれの椎弓根ねじ（７）がそれぞれの椎骨にインプラントを取り付けるための適切な角度にあり、これにより、各タイプの二重中間コネクタ（５）には特定の位置がある。
【００５１】
上部端部プラットフォーム（１３）が、埋め込まれる椎骨伸展部の最初の対応する上部椎骨に取り付けられ、下部端部プラットフォーム（１３）が、その伸展部の最後の下部椎骨に取り付けられ、スライドプラットフォーム（１４）が、上記範囲内に含まれる椎骨に取り付けられる。
【００５２】
これらのインプラントは、それらの間およびプラットフォーム内でスライドする２つ以上の可撓性ブレードのセットである。
【００５３】
本発明が実施される場合、特定の構造および形態の詳細に関して修正が導入され得ることは確かであり、その事実は、請求項のフレームワークで明確に実証される基本原理からの逸脱を意味せず、したがって、採用された用語は、限定ではなく説明の目的で選択されたものであることに留意されたい。
【図１】
2021505216.tif 000003
【図２】
2021505216.tif 000004
【図３】
2021505216.tif 000005
【図４】
2021505216.tif 000006
【図５】
2021505216.tif 000007
【図６】
2021505216.tif 000008
【図７】
2021505216.tif 000009
【図８】
2021505216.tif 000010
【図９】
2021505216.tif 000011
【図１０】
2021505216.tif 000012
【図１１】
2021505216.tif 000013
【図１２】
2021505216.tif 000014
【図１３】
2021505216.tif 000015
【国際調査報告】
2021505216.tif 000016
2021505216.tif 000017
2021505216.tif 000018
2021505216.tif 000019
2021505216.tif 000020
2021505216.tif 000021